(57)【特許請求の範囲】
【請求項１】
無線通信カバー方法であって、
ユーザ装置（ＵＥ）がスーパーセルにアクセスした場合、ネットワーク側が、前記スーパーセルのＣＰ構成に応じて、前記ＵＥのために前記スーパーセルにおけるすべてのＣＰが含まれるＣＰセットを構成するステップと、
ネットワーク側が、前記ＣＰセットの各ＣＰにおいて受信された前記ＵＥからの信号の受信電力に基づいて、前記ＵＥのＣＰアクティブセットを確定するステップと、
前記ＵＥが、前記ＣＰアクティブセットにおけるＣＰと正常に通信するステップと、を含み、
ネットワーク側が、前記ＣＰセットの各ＣＰにおいて受信された前記ＵＥからの信号の受信電力に基づいて、前記ＵＥのＣＰアクティブセットを確定する前記ステップは、
ネットワーク側が、受信された各ＣＰにおけるＵＥのチャネル検出基準信号（ＳＲＳ）の受信電力に基づいて、各ＣＰにおけるＵＥの単一のリソースブロック（ＲＢ）の平均受信電力を取得し、
前記平均受信電力の最大値を取得し、前記最大値に基づいて各ＣＰにおける前記ＵＥの基準受信電力を取得し、
前記基準受信電力及び予め設定された平滑因子に基づいて、各ＣＰにおけるＵＥの基準受信電力の平滑値を取得し、
前記平滑値が予め設定されたＣＰアクティブセットの判定閾値以上である場合、前記平滑値の所属するＣＰが前記ＵＥのＣＰアクティブセットに属することである、
ことを特徴とする方法。
【請求項２】
ネットワーク側が、前記ＣＰセットの各ＣＰにおいて受信された前記ＵＥからの信号の受信電力に基づいて、前記ＵＥのＣＰアクティブセットを確定する前記ステップの前に、前記方法は、さらに、
前記ネットワーク側が前記ＣＰセットにおけるＣＰの個数を取得し、前記ＣＰの個数が１より大きい場合、前記ＣＰセットの各ＣＰにおいて受信された前記ＵＥからの信号の受信電力に基づいて、ＣＰアクティブセットを確定するステップを含むことを特徴とする
請求項１に記載の方法。
【請求項３】
前記ネットワーク側が各ＣＰにおけるＵＥのＳＲＳの受信電力を受信しない場合、受信された各ＣＰにおけるＵＥの物理上り共有チャネル（ＰＵＳＣＨ）の受信電力に基づいて、各ＣＰにおけるＵＥの単一のＲＢの平均受信電力を取得するステップを含むことを特徴とする
請求項１に記載の方法。
【請求項４】
無線通信カバーシステムであって、
ＵＥと、
前記ＵＥがスーパーセルにアクセスした後、前記スーパーセルのＣＰ構成に応じて、前記ＵＥのために前記スーパーセルにおける全てのＣＰが含まれるＣＰセットを構成し、そして前記ＣＰセットの各ＣＰにおいて受信された前記ＵＥからの信号の受信電力に基づいて、前記ＵＥのＣＰアクティブセットを確定することに用いられるネットワーク側と、を備え、
前記ＵＥは、前記ＣＰアクティブセットにおけるＣＰと正常に通信することに用いられ、
前記ネットワーク側は、具体的に、前記ＣＰセットの各ＣＰにおいて受信された前記ＵＥからのＳＲＳの受信電力に基づいて、各ＣＰにおけるＵＥの単一のＲＢの平均受信電力を取得し、前記平均受信電力の最大値を取得し、前記最大値に基づいて各ＣＰにおける前記ＵＥの基準受信電力を受信し、前記基準受信電力及び予め設定された平滑因子に基づいて、各ＣＰにおけるＵＥの基準受信電力の平滑値を取得することに用いられ、前記平滑値が予め設定されたＣＰアクティブセットの判定閾値以上である場合、前記平滑値の所属するＣＰが前記ＵＥのＣＰアクティブセットに属する、
ことを特徴とするシステム。
【請求項５】
前記ネットワーク側は、さらに、前記ＣＰセットにおけるＣＰの個数を取得し、前記ＣＰの個数が１より大きい場合、前記ＣＰセットの各ＣＰにおいて受信された前記ＵＥからの信号の受信電力に基づいて、ＣＰアクティブセットを確定することに用いられることを特徴とする
請求項４に記載のシステム。
【請求項６】
前記ネットワーク側は、さらに、各ＣＰにおけるＵＥのＳＲＳの受信電力を受信しない場合、受信された各ＣＰにおけるＵＥのＰＵＳＣＨの受信電力に基づいて、各ＣＰにおけるＵＥの単一のＲＢの平均受信電力を取得することに用いられることを特徴とする
請求項４に記載のシステム。
【発明の詳細な説明】
【技術分野】
【０００１】
本発明は、無線通信技術分野に関し、特に無線通信カバー方法及びシステムに関する。
【背景技術】
【０００２】
現在、国際鉄道連合（ＵＩＣ：Ｕｎｉｏｎ  Ｉｎｔｅｍａｔｉｏｎａｌｅ  ｄｅｓ    Ｃｈｅｍｉｎｓ  ｄｅ  Ｆｅｒ）のデータによると、２０１３年３月まで、全世界で使用されている高速鉄道の走行距離は、約１．３４万キロメートルである。建設中及び建設計画の高速鉄道の走行距離が約２．８万キロメートルであって、市場総量の６８％を占める。将来の３年間に世界の高速鉄道の総投資額が約２０００億ドルに達し、その中無線通信システムの総投資額が８０億ドルを超えると予想される。無線通信技術の高速発展に伴って、高速鉄道ユーザの高速データサービスに対する需要は、急速に増加する。しかしながら、現在の第三世代（３Ｇ：３ｒｄ  Ｇｅｎｅｒａｔｉｏｎ）ネットワークは、より低いデータレートのみを提供することができ、将来の高速鉄道の無線通信システムのマルチサービス需要を満たすことができない。したがって、長期発展型（ＬＴＥ：Ｌｏｎｇ−Ｔｅｒｍ  Ｅｖｏｌｕｔｉｏｎ）高速鉄道カバー解決手段は、オペレータが将来注目する焦点になる。
【０００３】
無線通信システムに対して、ユーザ装置（ＵＥ：Ｕｓｅｒ  Ｅｑｕｉｐｍｅｎｔ）の移動速度が３５０キロメートル／時間に達した場合、システムの大きなドップラーシフトがサービスの品質に影響を与えること、車体侵入損の増加によりＵＥの電力消費量に対する要求が高いこと、列車が高速になるのでＵＥが頻繁なセル切り替え、選択、再選択に直面することなどの様々な問題を直面する。高速鉄道などの高速移動シーンが一般的なシーンと比較すると、ＵＥの移動速度が非常に高いので、各セルのカバレッジに沿って滞留する時間が非常に短い。高速移動環境において、リンク品質が劣化するので、ＵＥのセル滞留、アクセス、再選択と切り替えなどの通信プロセスのための測定及びシグナリングインタラクティブ時間がより長く、同時に頻繁な切り替えによりユーザ体験が悪くなり、さらにシステムの全体性能に影響を与える。
【０００４】
従来の解決手段では、通常、屋内ベースバンド処理ユニット（ＢＢＵ：Ｂｕｉｌｄｉｎｇ  Ｂａｓｅ  ｂａｎｄ  Ｕｎｉｔ）＋複数の無線リモートユニット（ＭＲＲＵ：Ｍｕｌｔｉｐｌｅ  Ｒａｄｉｏ  Ｒｅｍｏｔｅ  Ｕｎｉｔ）のネットワークカバー方式を採用してセルカバレッジを拡大する。上り処理の場合、システムがベースバンド処理を行う前に、無線リモートユニット（ＲＲＵ：Ｒｅｍｏｔｅ  Ｒａｄｉｏ  Ｕｎｉｔ）から送信された各セル部分（ＣＰ：Ｃｅｌｌ  Ｐｏｒｔｉｏｎ）の上りデータを合併し、その後、ベースバンド処理を行い、下り処理の場合、各ＲＲＵが簡単にデータをコピーして送信するだけである。このカバー手段は、簡単に実現されるが、システム効率が高くないので、システムの全体性能を効果的に向上させることができない。
【発明の概要】
【発明が解決しようとする課題】
【０００５】
これを鑑みて、本発明の主な目的は、ＵＥの移動性によって引き起こされた切り替えなどの問題を解決することができる、無線通信カバー方法及びシステムを提供することにある。
【課題を解決するための手段】
【０００６】
上記目的を達成するために、本発明の技術的なスキームは、以下のように実現される。
【０００７】
無線通信カバー方法は、
ＵＥがスーパーセルにアクセスした場合、ネットワーク側が前記スーパーセルのＣＰ構成に応じて、ＵＥのためにＣＰセットを構成するステップと、
ネットワーク側が受信された、各ＣＰにおけるＵＥの受信電力に基づいて、前記ＵＥのＣＰアクティブセットを確定するステップと、
前記ＵＥが前記ＣＰアクティブセットにおけるＣＰと正常に通信するステップとを含む。
【０００８】
ここで、ネットワーク側がＵＥのためにＣＰセットを構成する前記ステップは、
ネットワーク側が前記ＵＥのために前記スーパーセルにおけるすべてのＣＰが含まれるＣＰセットを構成することである。
【０００９】
さらに、ネットワーク側が、受信された各ＣＰにおけるＵＥの受信電力に基づいて、前記ＵＥのＣＰアクティブセットを確定する前記ステップの前に、前記方法は、さらに、
前記ネットワーク側が前記ＣＰセットにおけるＣＰの個数を取得し、前記ＣＰの個数が１より大きい場合、受信された各ＣＰにおけるＵＥの受信電力に基づいて、ＣＰアクティブセットを確定するステップを含む。
【００１０】
ここで、ネットワーク側が、受信された各ＣＰにおけるＵＥの受信電力に基づいて、前記ＵＥのＣＰアクティブセットを確定する前記ステップは、
ネットワーク側が、受信された各ＣＰにおけるＵＥのチャネル検出基準信号（ＳＲＳ）の受信電力に基づいて、各ＣＰにおけるＵＥの単一のリソースブロック（ＲＢ）の平均受信電力を取得し、
前記平均受信電力の最大値を取得し、前記最大値に基づいて各ＣＰにおける前記ＵＥの基準受信電力を取得し、
前記基準受信電力及び予め設定された平滑因子に基づいて、各ＣＰにおけるＵＥの基準受信電力の平滑値を取得し、
前記平滑値が予め設定されたＣＰアクティブセットの判定閾値以上である場合、前記平滑値の所属するＣＰが前記ＵＥのＣＰアクティブセットに属することである。
【００１１】
さらに、前記方法は、さらに、
前記ネットワーク側が、各ＣＰにおけるＵＥのＳＲＳの受信電力を受信しない場合、受信された各ＣＰにおけるＵＥの物理上り共有チャネル（ＰＵＳＣＨ）の受信電力に基づいて、各ＣＰにおけるＵＥの単一のＲＢの平均受信電力を取得するステップを含む。
【００１２】
無線通信カバーシステムは、
ＵＥがスーパーセルにアクセスした後、前記スーパーセルのＣＰ構成に応じて、前記ＵＥのためにＣＰセットを構成し、そして受信された各ＣＰにおける前記ＵＥの受信電力に基づいて、前記ＵＥのＣＰアクティブセットを確定することに用いられるネットワーク側と、
前記アクティブセットにおけるＣＰと正常に通信することに用いられるＵＥと、を備える。
【００１３】
ここで、前記ネットワーク側は、具体的に、前記ＵＥのために前記スーパーセルにおける全てのＣＰが含まれるＣＰセットを構成することに用いられる。
【００１４】
さらに、前記ネットワーク側は、さらに、前記ＣＰセットにおけるＣＰの個数を取得し、前記ＣＰの個数が１より大きい場合、受信された各ＣＰにおけるＵＥの受信電力に基づいて、ＣＰアクティブセットを確定することに用いられる。
【００１５】
ここで、前記ネットワーク側は、具体的に、受信された各ＣＰにおけるＵＥのＳＲＳの受信電力に基づいて、各ＣＰにおけるＵＥの単一のＲＢの平均受信電力を取得し、前記平均受信電力の最大値を取得し、前記最大値に基づいて各ＣＰにおける前記ＵＥの基準受信電力を受信し、前記基準受信電力及び予め設定された平滑因子に基づいて、各ＣＰにおけるＵＥの基準受信電力の平滑値を取得することに用いられ、前記平滑値が予め設定されたＣＰアクティブセットの判定閾値以上である場合、前記平滑値の所属するＣＰが前記ＵＥのＣＰアクティブセットに属する。
【００１６】
さらに、前記ネットワーク側は、さらに、各ＣＰにおけるＵＥのＳＲＳの受信電力を受信しない場合、受信された各ＣＰにおけるＵＥのＰＵＳＣＨの受信電力に基づいて、各ＣＰにおけるＵＥの単一のＲＢの平均受信電力を取得することに用いられる。
【００１７】
本発明は、ＵＥがスーパーセルにアクセスした後、前記ＵＥのＣＰアクティブセットを確定することにより、ＵＥの移動性によって引き起こされた切り替えなどの問題を解決することができ、基地局の単一のセルのカバー機能を拡張し、同時に無線リソースをの十分に利用し、リソースの繰り返し利用率を向上する目的を達成することができる。
【図面の簡単な説明】
【００１８】
【図１】本発明に係る無線通信カバー方法の実現プロセスを示す図である。
【図２】本発明に係る無線通信カバー方法の実施形態一の実現プロセスを示す図である。
【図３】本発明に係る無線通信カバー方法の実施形態二の実現プロセスを示す図である。
【図４】無線通信カバーシステムの構成を示す図である。
【発明を実施するための形態】
【００１９】
スーパーセル（Ｓｕｐｅｒ  Ｃｅｌｌ）は、複数の伝統的な隣接のセルから構成される。スーパーセルにおけるそれぞれの伝統的なセルは、セル部分（ＣＰ：Ｃｅｌｌ  Ｐｏｒｔｉｏｎ）と呼ばれる。複数のＣＰは、論理的に同じセルに属し、同じセルのリソース、例えばセルＩＤ（ＣｅｌｌＩＤ：Ｃｅｌｌ  ＩＤ）、プライマリおよびセカンダリ同期信号、周波数シーケンスセル基準信号（ＣＲＳ：Ｃｅｌｌ  Ｒｅｆｅｒｅｎｃｅ  Ｓｉｇｎａｌ）／復調基準信号（ＤＭＲＳ：Ｄｅ  Ｍｏｄｕｌａｔｉｏｎ  Ｒｅｆｅｒｅｎｃｅ  Ｓｉｇｎａｌ）／チャネル検出基準信号（ＳＲＳ：Ｓｏｕｎｄｉｎｇ  Ｒｅｆｅｒｅｎｃｅ  Ｓｉｇｎａｌ）シーケンスなどを共有する。異なるＣＰ間には移動性の問題が存在しなく、このようにして、移動性問題が１つのセルの異なるＣＰ間の検出とスケジューリング問題に発展される。Ｓｕｐｅｒ  Ｃｅｌｌは、複数のＣＰから構成されるが、複数のＣＰは、論理的に同じセルであるので、異なるＣＰ間にはネットワーク側の移動性管理問題がなく、１つの集中型セルを分散型セルに変換することに相当する。元の複数のセルによってそれぞれカバーされた領域がＳｕｐｅｒ  Ｃｅｌｌ技術によりカバーサブ領域に変換されることにより、複数のカバーサブ領域は、１つのセルに合併される。高速移動する場合、セル間の切り替えは、セル内のスケジューリング問題に発展される。
【００２０】
発展型基地局（ｅＮＢ）は、１つの基地局で複数のセル（この複数のセルがさらに１つのスーパーセルを構成する）をサポートし、同じスーパーセルに属する複数のＲＲＵは、背中合わせ方式を採用し、アンテナは、指向性高利得アンテナを採用し、下り送信は、遅延を増加する方式でポールの付近（２つのＲＲＵの重なり領域）に位置する場合の復調性能が激しく変動する問題を解決する。
【００２１】
スーパーセルに、複数のＣＰが存在し、各ＣＰにおける受信された同じＵＥの電力が異なる。このように、上りエネルギーの対称性によって、異なるＣＰは同じ電力を送信するが、ＵＥ受信側の受信電力はまだ異なる。ＵＥと通信するアクティブなＣＰとすることができる場合、当該アクティブなＣＰの送信エネルギーに対するＵＥの受信エネルギーが、ＵＥの受信性能に対して一定程度の影響をもたらすことを示す。したがって、一定条件のアクティブセット判定により、アクティブセットに属するＣＰが当該ＵＥとリアルタイムに通信可能であり、非アクティブセットに属するＣＰが当該ＵＥと通信しないことを確定することができる。
【００２２】
本発明の基本的な考えとしては、ＵＥがスーパーセルにアクセスした場合、ネットワーク側が前記スーパーセルのＣＰ構成に応じて、ＵＥのためにＣＰセットを構成し、ネットワーク側が、受信された各ＣＰにおけるＵＥの受信電力に基づいて、前記ＵＥのＣＰアクティブセットを確定し、前記ＵＥが前記ＣＰアクティブセットにおけるＣＰと正常に通信するものである。
【００２３】
本発明の目的、技術的なスキームと利点をさらに明らかにするために、以下、実施形態を挙げて図面を参照しながら、本発明をさらに詳細に説明する。
【００２４】
図１は本発明に係る無線通信カバー方法の実現プロセスを示す図である。図１に示すように、前記方法は、以下のステップを含む。
【００２５】
ステップ１０１：ＵＥがスーパーセルにアクセスした場合、ネットワーク側は、前記スーパーセルのＣＰ構成に応じて、ＵＥのためにＣＰセットを構成する。
【００２６】
具体的には、ＵＥがスーパーセルにアクセスした場合、ネットワーク側は、前記ＵＥのために前記スーパーセルにおけるすべてのＣＰが含まれるＣＰセットを構成する。
【００２７】
ステップ１０２：ネットワーク側は、受信された各ＣＰにおけるＵＥの受信電力に基づいて、前記ＵＥのＣＰアクティブセットを確定する。
【００２８】
ここで、このステップの前に、前記方法は、さらに、前記ネットワーク側が前記ＣＰセットにおけるＣＰの個数を取得し、前記ＣＰの個数が１である場合、前記スーパーセルにおいてすべてのＵＥのＣＰアクティブセットが前記ＣＰセットと同じであることを確定し、前記ＣＰの個数が１より大きい場合、このステップを実行する。
【００２９】
具体的に、ネットワーク側が、受信された各ＣＰにおけるＵＥの受信電力に基づいて、前記ＵＥのＣＰアクティブセットを確定する前記ステップは、
ネットワーク側が、受信された各ＣＰにおけるＵＥのＳＲＳの受信電力に基づいて、各ＣＰにおけるＵＥの単一のリソースブロック（ＲＢ）の平均受信電力を取得し、
前記平均受信電力の最大値を取得し、前記最大値に基づいて各ＣＰにおける前記ＵＥの基準受信電力を取得し、
前記基準受信電力及び予め設定された平滑因子に基づいて、各ＣＰにおけるＵＥの基準受信電力の平滑値を取得し、
前記平滑値が予め設定されたＣＰアクティブセットの判定閾値以上である場合、前記平滑値の所属するＣＰが前記ＵＥのＣＰアクティブセットに属することである。
【００３０】
さらに、前記ネットワーク側が各ＣＰにおけるＵＥのＳＲＳの受信電力を受信しない場合、受信された各ＣＰにおけるＵＥの物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）の受信電力に基づいて、各ＣＰにおけるＵＥの単一のＲＢの平均受信電力を取得する。
【００３１】
ステップ１０３：前記ＵＥは、前記ＣＰアクティブセットにおけるＣＰと正常に通信する。
【００３２】
図２は本発明に係る無線通信カバー方法の実施形態一の実現プロセスを示す図である。図２に示すように、前記実施形態一は、下記のステップを含む。
【００３３】
ステップ２０１：ＵＥは、スーパーセルに初期にアクセスする。
【００３４】
ステップ２０２：ネットワーク側は、スーパーセルのＣＰ構成状況に応じて、Ｎｃｐ個のＣＰがあるＣＰセットをＵＥのために構成する。
【００３５】
ステップ２０３：ネットワーク側は、Ｎｃｐが１より大きいかどうかを判定し、そうであれば、ステップ２０４を実行し、そうでなければ、Ｎｃｐ＝１の場合、当該スーパーセルが単一のＣＰセルであることを示し、アクティブセットの判定を必要としなく、前記スーパーセルにおけるすべてのＵＥのＣＰアクティブセットを前記ＣＰセットに構成して、現在の処理プロセスを終了する。
【００３６】
ステップ２０４：Ｎｃｐ>１の場合、ネットワーク側は、物理層から報告された、各ＣＰにおけるＵＥのＳＲＳ又はＰＵＳＣＨの受信電力ＰＲｅｃに基づいて、各ＣＰにおける前記ＵＥの単一のＲＢの平均受信電力
0006367716.tif 000002
を取得する。
【００３７】
具体的には、ネットワーク側は、物理層からＭＡＣ層に報告された、各ＣＰにおけるＵＥの各ＲＢのＳＲＳ又はＰＵＳＣＨの受信電力ＰＲｅｃに基づいて、ＳＲＳ又はＰＵＳＣＨによって占有された帯域幅を線形値に変換し、その後、平均化して各ＣＰにおけるＵＥの単一のＲＢ上の平均受信電力
0006367716.tif 000003
を取得し、また、ＰＵＳＣＨとＳＲＳの受信電力を同時に受信した場合、ＳＲＳの受信電力を優先的に利用する。
【００３８】
ステップ２０５：各ＣＰにおけるＵＥの単一のＲＢ上の平均受信電力
0006367716.tif 000004
から、ＣＰにおけるＵＥの平均受信電力の最大値
0006367716.tif 000005
を取得し、その後各ＣＰにおけるＵＥの基準受信電力
0006367716.tif 000006
を取得する。
【００３９】
具体的には、次のような式で
0006367716.tif 000007
を取得する。
0006367716.tif 000008
【００４０】
ステップ２０６：ネットワーク側は、前記基準受信電力及び予め設定された平滑因子に基づいて、各ＣＰにおけるＵＥの基準受信電力の平滑値
0006367716.tif 000009
を取得する。
【００４１】
具体的には、次のような式で
0006367716.tif 000010
を取得する。
0006367716.tif 000011
上記の式で、αが上り受信電力平滑因子であり、
0006367716.tif 000012
がｔ−１時点の平滑値である。
【００４２】
ステップ２０７：前記平滑値が予め設定された前記ＵＥのＣＰアクティブセットの判定閾値より小さいかどうかを判定し、小さくなければ、ステップ２０８を実行し、そうでなければ、ステップ２０９を実行する。
【００４３】
ステップ２０８：
0006367716.tif 000013
の場合、当該ＣＰが当該ＵＥのアクティブセットに属し、ネットワーク側は、前記ＣＰを前記ＵＥのＣＰアクティブセットに増加させ、ここで、
0006367716.tif 000014
が予め設定されたＣＰアクティブセットの判定閾値である。
【００４４】
ステップ２０９：
0006367716.tif 000015
の場合、当該ＣＰが当該ＵＥのＣＰアクティブセットに属しなく、ネットワーク側は、さらに前記ＣＰセットにおけるすべてのＣＰが確定されたかどうかを判定し、そうであれば、現在のプロセスを終了し、そうでなければ、ステップ２０７を実行する。
【００４５】
図３は本発明に係る無線通信カバー方法の実施形態二の実現プロセスを示す図である。図３に示すように、前記実施形態二におけるＵＥは、高速走行する列車に位置する。具体的には、前記実施形態二は、以下のステップを含む。
【００４６】
ステップ３０１：ＵＥは、１つのスーパーセルにアクセスする。
【００４７】
ステップ３０２：ｔ時点に、ネットワーク側がスーパーセルにおける前記ＵＥのＣＰアクティブセットに含まれるＣＰがＣＰ０、ＣＰ１であると判定した場合、ＣＰ０、ＣＰ１は、前記ＵＥと正常な上り及び下りサービスを行う。
【００４８】
ステップ３０３：ｔ＋１時点に、列車が続いて走行する際に、ネットワーク側がスーパーセルにおける前記ＵＥのＣＰアクティブセットに含まれるＣＰがＣＰ３、ＣＰ４であると判定した場合、ＣＰ３とＣＰ４は、前記ＵＥと正常な上り及び下りサービスを行う。
【００４９】
ここで、ネットワーク側は、実施形態一における前記方法に従ってＣＰアクティブセットにどのようなＣＰが含まれるかをリアルタイムに判定し、そして前記ＣＰアクティブセットを更新する。
【００５０】
図４は本発明に係る無線通信カバーシステムの構成を示す図である。図４に示すように、前記システムは、ネットワーク側４１とＵＥ４２とを備える。
【００５１】
前記ネットワーク４１は、ＵＥ４２がスーパーセルにアクセスした場合、前記スーパーセルのＣＰ構成に応じて、前記ＵＥ４２のためにＣＰセットを構成し、受信された各ＣＰにおける前記ＵＥ４２の受信電力に基づいて、前記ＵＥ４２のＣＰアクティブセットを確定することに用いられる。
【００５２】
前記ＵＥ４２は、前記ＣＰアクティブセットにおけるＣＰと正常に通信することに用いられる。
【００５３】
ここで、前記ネットワーク側４１は、具体的に、前記ＵＥ４２のために前記スーパーセルにおけるすべてのＣＰが含まれるＣＰセットを構成することに用いられる。
【００５４】
さらに、前記ネットワーク側４１は、さらに、前記ＣＰセットにおけるＣＰの個数を取得し、前記ＣＰの個数が１である場合、前記スーパーセルにおけるすべてのＵＥ４２のＣＰアクティブセットが前記ＣＰと同じであることを確定し、前記ＣＰの個数が１より大きい場合、受信された各ＣＰにおけるＵＥ４２の受信電力に基づいて、ＣＰアクティブセットを確定することに用いられる。
【００５５】
ここで、前記ネットワーク側４１は、具体的に、受信された各ＣＰにおけるＵＥ４２のＳＲＳの受信電力に基づいて、各ＣＰにおけるＵＥ４２の単一のＲＢの平均受信電力を取得し、前記平均受信電力の最大値を取得し、前記最大値に基づいて各ＣＰにおける前記ＵＥ４２の基準受信電力を取得し、前記基準受信電力及び予め設定された平滑因子に基づいて、各ＣＰにおけるＵＥ４２の基準受信電力の平滑値を取得することに用いられ、前記平滑値が予め設定されたＣＰアクティブセットの判定閾値以上である場合、前記平滑値の所属するＣＰが前記ＵＥ４２のＣＰアクティブセットに属することである。
【００５６】
さらに、前記ネットワーク側４１は、さらに、各ＣＰにおけるＵＥのＳＲＳの受信電力を受信しない場合、受信された各ＣＰにおけるＵＥ４２のＰＵＳＣＨの受信電力に基づいて各ＣＰにおけるＵＥ４２の単一のＲＢの平均受信電力を取得するこに用いられる。
【００５７】
上記は、本発明の好ましい実施形態に過ぎなく、本発明の保護範囲を限定することに用いられるものではない。
【図１】
0006367716.tif 000016
【図２】
0006367716.tif 000017
【図３】
0006367716.tif 000018
【図４】
0006367716.tif 000019